(57)【要約】【課題】ループタイとして、金属製の索体でも確実に装飾留め具に固定でき、その固定と解除の操作を極めて簡単に行え、構造的に簡素で製作容易なものを提供する。【解決手段】首掛け用のループＬ１を形成する索体１と、索体１を挿通してループＬ１を拡縮する装飾留め具２とからなり、装飾留め具２の本体２０の裏面側にネジ軸３が突設され、ネジ軸３に螺合するネジ板４の締め付けにより、ネジ板４と本体２０との間で索体１を挟着固定するように構成されてなる。【選択図】図２
0003141348.tif 000002
【実用新案登録請求の範囲】
【請求項１】
首掛け用のループを形成する索体と、この索体を挿通して前記ループを拡縮する装飾留め具とからなり、該装飾留め具の本体の裏面側にネジ軸が突設されると共に、該ネジ軸に螺合するネジ板を有し、このネジ板の締め付けによって当該ネジ板と本体との間で前記挿通した索体を挟着固定するように構成されてなるループタイ。
【請求項２】
装飾留め具の本体とネジ板の互いの対向面の少なくとも一方側に、軟質ないし半硬質の高分子層が形成されてなる請求項１に記載のループタイ。
【請求項３】
前記索体が金属製である請求項１又は２に記載のループタイ。
【請求項４】
装飾留め具の本体の裏面側の上下部に２条の索体を並行して挿通させる挿通ガイド部が形成され、両挿通ガイド部の中間で且つ並行する２条の索体の間に前記ネジ軸が突出し、前記ネジ板が並行する２条の索体にかかる径を有する円板状をなす請求項１〜３のいずれかに記載のループタイ。
【考案の詳細な説明】
【技術分野】
【０００１】
本考案は、首掛け用のループを形成する索体と、この索体を挿通して前記ループを拡縮する装飾留め具とからなるループタイに関する。
【背景技術】
【０００２】
ループタイは、旧来では主として年配の男性がワイシャツ等の着用時にネクタイ代わりに使用していたが、近年では老若男女を問わず、またワイシャツ等に限らず、タートルネックのセーターに合わせたり、ネックレスのように直に首に掛けたり、お洒落な装飾として多用されつつある。
【０００３】
しかして、通常のループタイでは、首掛け用のループを形成する索体として糸で編んだ紐を用い、この紐を種々の装飾形状及び材質の装飾留め具に挿通しており、そのループを一定サイズに保つ手段として、挿通部の摩擦抵抗を利用する方式（特許文献１）や、該装飾留め具の裏面側に設けたバネ式の挟着金具を利用する方式（特許文献２）が一般的に採用されている。
【特許文献１】実用新案登録第３０４３６１８号
【特許文献２】特開平１０−５０１２号公報
【考案の開示】
【考案が解決しようとする課題】
【０００４】
ところで、近年のループタイでは、その装飾性をより高めるために、ループを形成する索体として、一般的な糸で編んだ紐に代えて様々な形態のチェーン等の金属製のものを用いることが多くなっている。しかるに、このような金属製の索体は圧縮性がない上に硬く滑り易いため、従来の挿通部の摩擦抵抗による係止方式やバネ式の挟着金具による係止方式では、装飾留め具に確実に固定できず、使用中に加わる僅かな引張力や振動によって簡単に係止位置がずれてしまい、ループの緩みで体裁が悪くなるという難点があった。
【０００５】
本考案は、上述の情況に鑑み、ループタイとして、金属製の索体を用いたものでも確実に装飾留め具に固定できると共に、その固定と解除の操作を極めて簡単に行え、且つ構造的に簡素で製作容易なものを提供することを目的としている。
【課題を解決するための手段】
【０００６】
上記課題を解決するための手段を、後述する実施形態の参照符号を付して説明すると、請求項１の考案に係るループタイは、首掛け用のループＬ１を形成する索体１と、この索体１を挿通してループＬ１を拡縮する装飾留め具２とからなり、該装飾留め具２の本体２０の裏面側にネジ軸３が突設されると共に、該ネジ軸３に螺合するネジ板４を有し、このネジ板４の締め付けによって当該ネジ板４と本体２０との間で前記挿通した索体１を挟着固定するように構成されてなる。
【０００７】
請求項２の考案は、上記請求項１のループタイにおいて、装飾留め具２の本体２０とネジ板４の互いの対向面の少なくとも一方側に、軟質ないし半硬質の高分子層５Ａ，５Ｂが形成されてなる構成としている。
【０００８】
請求項３の考案は、上記請求項１又は２のループタイにおいて、索体１が金属製である構成としている。
【０００９】
請求項４の考案は、上記請求項１〜３のいずれかのループタイにおいて、装飾留め具２の本体２０の裏面側の上下部に２条の索体１を並行して挿通させる挿通ガイド部６Ａ，６Ｂが形成され、両挿通ガイド部６Ａ，６Ｂの中間で且つ並行する２条の索体１、１の間にネジ軸３が突出し、ネジ板４が並行する２条の索体１，１にかかる径を有する円板状をなす構成としている。
【考案の効果】
【００１０】
上記解決手段による考案の効果を、後述する実施形態の参照符号を付して説明すると、請求項１の考案のループタイでは、装飾留め具２の本体２０の裏面側にネジ軸３が突設され、該ネジ軸３に螺合するネジ板４の締め付けにより、装飾留め具２に挿通した索体１を当該ネジ板４と本体２０との間で強く挟着固定できるため、使用状態で索体１や装飾留め具２に引張力や振動が加わっても係止位置のずれを生じず、しかもネジ板４を捻回するだけで簡単に締付け固定と固定解除を行え、固定解除によって索体１をスムーズにスライドできるから、その装着及び取外しが極めて簡易であると共に、装着状態でのループＬ１の拡縮操作も容易に行える。また、装飾留め具２は、索体１の挟着固定用として本体２０裏面側にネジ軸３を突設するだけでよいから、その製作が非常に容易になる。
【００１１】
請求項２の考案によれば、装飾留め具２の本体２０とネジ板４の互いの対向面の少なくとも一方側に軟質ないし半硬質の高分子層５Ａ，５Ｂが形成され、ネジ板４の締め付けによって該ネジ板４と本体２０との間で索体１を挟着した際、該索体１が高分子層５Ａ，５Ｂに喰い込む形になるため、その挟着位置での滑りが確実に阻止され、特に該索体１が金属製であっても強固に挟着固定されると共に、金属同士の圧接による損傷や歪みも回避される。
【００１２】
請求項３の考案によれば、索体１が金属製であるため、金属独特の重厚感と光沢によって高級感をかもし出すことができる上、材質的に硬く滑り易いにも拘らず装飾留め具２での挟着固定を確実に行える。
【００１３】
請求項４の考案によれば、装飾留め具２の本体２０の裏面側において、上下の挿通ガイド部６Ａ，６Ｂ間で２条の索体１，１が並行配置させ、これら並行する２条の索体１、１を円板状のネジ板４によって該本体２０との間で挟着できるから、該装飾留め具２による挟着固定の確実性が増す。
【考案を実施するための最良の形態】
【００１４】
以下、本考案の実施形態について図面を参照して具体的に説明する。図１は本考案に係るループタイの全体正面、図２は該ループタイにおける装飾留め具による索体の挟着状態、図３は該挟着状態の縦断面、をそれぞれ示す。
【００１５】
この実施形態のループタイは、図１に示す用に、首掛け用のループＬ１を形成するボールチェーンからなる１本の索体１と、この索体１を並行状態で挿通する装飾留め具２とからなり、索体１の両端が留め金１１によって連結されて下部側でもループＬ２を形成している。そして、装飾留め具２の楕円形厚板状の本体２０の表面には、凹凸の装飾模様Ｄ（例えば、図示の斜線領域が金色の凸面部、無地領域が白銀色の凹面部をなす）が施されている。また、索体１のボールチェーンと装飾留め具２の本体２０は、金、白金、銀、ホワイトゴールドの如き貴金属製か、銅等の一般金属に貴金属のメッキを施したものからなる。
【００１６】
図２（Ａ）〜（Ｃ）で示すように、装飾留め具２の本体２０の裏面側には、その楕円の長軸方向を使用時の上下方向として、上下部に挿通ガイド部６Ａ，６Ｂが形成されると共に、中央部にネジ軸３が根元側の溶接によって垂直に立設されており、このネジ軸３に円板状のネジ板４が螺着されている。しかして、本体２０の裏面側とネジ板４の内面側には、相互に対向して、ゴム又は合成樹脂からなる軟質ないし半硬質の円形の高分子層５Ａ，５Ｂが形成されている。なお、ネジ軸３、ネジ板４、挿通ガイド部６Ａ，６Ｂは、いずれも金属（貴金属を含む）製である。
【００１７】
また、上下の挿通ガイド部６Ａ，６Ｂは共に、金属帯板の両端側を円弧状に折り返して、左右一対の開環状の挿通部６０，６０を設けたもので、その中空平坦部で装飾留め具２の本体２０の裏面側に溶接固着されている。
【００１８】
ループＬ１，Ｌ２を構成する索体１は、装飾留め具２の本体２０の裏面側において、その２条が各々上下の挿通ガイド部６Ａ，６Ｂの左右一方側の挿通部６０を通して並行配置している。そして、この並行配置した２条の索体１，１の間にネジ軸３が突出すると共に、該ネジ軸３に螺合するネジ板４が並行配置した２条の索体１，１に被さる直径を有している。
【００１９】
上記構成のループタイの使用に際しては、索体１のループＬ１を予め大きめに設定しておき、このループＬ１を使用者が頭から首部に通してワイシャツアの襟裏等に周回させ、この状態でネジ板４の螺合を緩め、索体１に対して装飾留め具２を上方へスライドさせながらループＬ１を縮め、該装飾留め具２の位置を決めた後、ネジ板４を捻回して締め付ければよい。これにより、装飾留め具２の本体２０の裏面側で並行配置した２条の索体１，１は、図３に示すように、該本体２０とネジ板４との間で挟み付けられ、そのボール部１ａ…が両側の高分子層５Ａ，５Ｂに一部めり込む形で、当該本体２０に対して移動不能に強く挟着固定される。
【００２０】
従って、上記の挟着固定後のループタイでは、索体１及び装飾留め具２が金属製でかなりの重さになるが、索体１着用者の歩行や姿勢転換等で振動を受けたり、装飾留め具２や索体１の下側ループＬ２が手や衣服等に接触して多少引っ張られたりしても、装飾留め具２がずり下がって不体裁になることはなく、お洒落で良好な装着状態を維持できる。また、装飾留め具２のネジ板４を離脱方向に捻回すれば、装飾留め具２が索体１に対して移動自在になるから、該ループタイを取り外したり、首筋の締め付けを緩めたりする場合にも、非常に簡単な操作で済む。
【００２１】
一方、このようなループタイにあっては、索体１の挟着固定のために装飾留め具２の本体２０裏面側にネジ軸３及び挿通ガイド部６Ａ，６Ｂを設けるだけでよいから、索体１の固定用としての材料コスト及び加工コストの負担は僅かで済む。
【００２２】
なお、本考案のループタイにおける索体１は、上記の実施形態ではボール部１ａと軸部１ｂとが交互に連結したボールチェーンを例示したが、小判鎖、喜平鎖、丸カン鎖、バーチェーン等の様々な金属製のものを好適に使用できると共に、糸で編んだ一般的な紐、革紐等の金属以外のものも使用可能である。ただし、本考案は、既述の優れた挟着固定作用から、特に硬く滑り易い金属製の索体を使用する場合に適用効果が大きい。また、索体１の両端は実施形態のように連結せずに分離した状態でもよいし、この分離した両端に適当な装飾部品を取り付けるようにしてもよい。
【００２３】
更に、本考案のループタイにおける装飾留め具２としては、実施形態で例示した楕円形のものに限らず、多種多様な形態及び材質のものを使用できる。また、実施形態では本体２０とネジ板４の両方の対向面に高分子層６Ａ，６Ｂを設けているが、その一方側のみに高分子層を設けてもよい。
【図面の簡単な説明】
【００２４】
【図１】本考案の一実施形態に係るループタイの全体正面図である。
【図２】同ループタイにおける装飾留め具による索体の挟着状態を示し、（Ａ）は背面図、（Ｂ）は側面図、（Ｃ）は平面図である。
【図３】同装飾留め具による索体の挟着状態を示す縦断側面図である。
【符号の説明】
【００２５】
１          索体
２          装飾留め具
２０        本体
３          ネジ軸
４          ネジ板
５Ａ，５Ｂ  高分子層
６Ａ，６Ｂ  挿通ガイド部
６０        挿通部
Ｄ            装飾
Ｌ１          ループ
【図１】
0003141348.tif 000003
【図２】
0003141348.tif 000004
【図３】
0003141348.tif 000005